(57)【要約】      （修正有）【課題】カートンやカップに成形されうる包装用板紙であって、カートンの耐久性やピンホールの問題が無く、板紙への材料の接着性が良好なガスバリア性を備える包装用板紙を提供する。【解決手段】脂肪族ナイロン、芳香族ナイロン、またはナイロンのブレンドとポリエチレンテレフタレートとのブレンドを含んでなるガスバリア層１４；結合層１６；低密度ポリエチレン層；の３層をピンホールをシールし、押し出しまたは共押し出しラミネーションより迅速で低コストな方法による板紙１２構造体。【選択図】図１
2008296577.tif 000002
【特許請求の範囲】
【請求項１】
ガスバリア性を有する板紙であって、
板紙と、
該板紙に直接適用されるガスバリア層、ここで、このガスバリア層はナイロンとポリエチレンテレフタレートとのブレンドからなり、該ナイロンは、脂肪族ナイロン、芳香族ナイロン、脂肪族ナイロンのブレンド、芳香族ナイロンのブレンド、または、脂肪族ナイロンと芳香族ナイロンのブレンドから選択される、と、
該ガスバリア層に直接適用される結合層と、
該結合層に直接適用される低密度ポリエチレンと、
からなる上記板紙。
【請求項２】
前記ナイロンが、２５〜７５重量％のナイロンとポリエチレンテレフタレートとのブレンドである、請求項１に記載の板紙。
【請求項３】
前記ナイロンが、脂肪族ナイロンである、請求項１に記載の板紙。
【請求項４】
前記ナイロンが、ナイロン６６、ナイロン６／６６、ナイロン６／９、ナイロン６／１０、ナイロン１１、およびナイロン１２の少なくとも１つである、請求項３に記載の板紙。
【請求項５】
前記ナイロンが、２５〜７５重量％のナイロンとポリエチレンテレフタレートとのブレンドである、請求項４に記載の板紙。
【請求項６】
前記ナイロンが、２５〜４９重量％のナイロンとポリエチレンテレフタレートとのブレンドである、請求項５に記載の板紙。
【請求項７】
前記ガスバリア層、前記結合層、および前記ポリオレフィン層が共押し出しされる、請求項４に記載の板紙。
【請求項８】
前記ナイロンが、芳香族ナイロンである、請求項１に記載の板紙。
【請求項９】
前記芳香族ナイロンが、ＭＸＤ６または６Ｔナイロンの少なくとも１つである、請求項８に記載の板紙。
【請求項１０】
前記ナイロンが、２５〜７５重量％のナイロンとポリエチレンテレフタレートとのブレンドである、請求項９に記載の板紙。
【請求項１１】
前記ナイロンが、２５〜４９重量％のナイロンとポリエチレンテレフタレートとのブレンドである、請求項１０に記載の板紙。
【請求項１２】
前記ガスバリア層、前記結合層、および前記ポリオレフィン層が共押し出しされる、請求項９に記載の板紙。
【請求項１３】
前記板紙の前記ガスバリア層とは反対側に直接適用される第２ポリオレフィン層をさらに含む、請求項１に記載の板紙。
【発明の詳細な説明】
【発明の詳細な説明】
【０００１】
技術分野は包装用板紙である。より具体的には、本発明の技術分野は、カートンやカップに成形されうる包装用板紙であって、ガスバリア性を備える包装用板紙である。
【０００２】
板紙容器のガスバリア性に関するニーズはよく知られており、板紙を通過するガス移動を抑制するための数多くの方法がある。ガス移動の量と速度は、用いられるバリア層（単数または複数）の種類に依存する。ガスバリア層は板紙上にラミネート、押し出し、共押し出しされ、板紙にガスバリア性を付与する。
【０００３】
バリア材料の選択に含まれる他の要因がある。コストは要因の一つであり、使用するバリア材料の種類とコスト、さらに必要なバリア性を得るのに必要な量もそうである。他の重要な要因は、カートンの耐久性とピンホールである。ピンホールは、カートンやカップの加熱やシールによって生じる。バリア材料の必要量は、マシン方向（縦方向）とマシン横断方向（横方向）の両方におけるバリア層の均一性にも依存する。均一性が低いと、厚いスポットと薄いスポットが生じ、ガスバリアレベルが変化してしまう。材料の種類により、材料を押し出すのに必要な力の量が決まるため、材料の種類は、包装用板紙のトータルコストの一要因となる。
【０００４】
他の要因は、板紙への材料の接着性である。いくつかの材料は他の材料より好適に接着する。ナイロンなどのいくつかの材料は、板紙への接着性を得るため板紙表面の特別な表面処理が必要である。これもコストに影響する。
【０００５】
ピンホールの問題も存在する。ピンホールとは、プラスティックフィルムの小さな穴であり、これにより、容器中に入っている液体が板紙に接触、浸透してしまう。ウェットの板紙は極めて弱く、耐久性に劣り、製品寿命（shelf life）が短くなる。ピンホールは、シーリング操作でプラスティックフィルムを加熱すると生じる。熱により板紙中に蒸気が発生し、その蒸気がプラスティック構造体において泡を発生させる。その泡のいくつかが破裂し、ピンホールを形成する。ピンホールの数は、低密度ポリエチレンや線状低密度ポリエチレンや他のポリオレフィンを泡のある領域に流すことによって、大幅に減少させることができ、このようにしてピンホールをシールする。
【０００６】
押し出しまたは共押し出しは、ラミネーションより迅速で低コストな方法である。共押し出しにより、ラミネートフィルムやそれに関連するハンドリングのコストを避けることができる。
【０００７】
本発明は、品物側に３層を有するコスト的に有効なガスバリア構造物に関し、ガスバリアとしてナイロンとポリエチレンテレフタレート（ＰＥＴ）のブレンドを用いる。ナイロンは、脂肪族ナイロン、芳香族ナイロン、脂肪族ナイロンのブレンド、芳香族ナイロンのブレンド、または、脂肪族ナイロンと芳香族ナイロンのブレンドであってよい。
【０００８】
図１は、本発明の板紙の断面図である。
【０００９】
基材は板紙１２であり、第１面と、第１面の反対側の第２面とを有する。この板紙は、２００〜５００ｇ／ｍ２の重量を有してもよい。
【００１０】
ポリオレフィン層１０が、板紙１２の外層または第１表面に適用（apply）される。典型的なポリオレフィン外層１０は低密度ポリエチレンである。層１０により、好適な印刷表面が得られる。カートンの耐久性を向上させることが必要な場合、線状低密度ポリエチレンやメタロセン触媒線状低密度ポリエチレンを使用してもよい。これらの樹脂は、低密度ポリエチレン樹脂よりも頑丈である。層１０は、１５〜２５ｇ／ｍ２の範囲の量で適用される。
【００１１】
ガスバリア層１４は、板紙１２の内層または第２面に直接適用される。ガスバリア層１４は、第１面と、第１面の反対側の第２面とを有する。
【００１２】
ガスバリア層１４は、ナイロンとポリエチレンテレフタレート（ＰＥＴ）とのブレンドである。種々のナイロンをこのブレンドに用いることができる。ナイロンは、脂肪族ナイロン、芳香族ナイロン、脂肪族ナイロンのブレンド、芳香族ナイロンのブレンド、脂肪族ナイロンと芳香族ナイロンとのブレンドであってよい。典型的な脂肪族ナイロンは、ナイロン６、ナイロン６６、ナイロン６／６６、ナイロン６／９、ナイロン６／１０、ナイロン１１、ナイロン１２である。典型的な芳香族ナイロンは、ＭＸＤ６や６Ｔナイロンである。１つの態様において、ナイロンは、ブレンドの２５重量％〜７５重量％であってよい。他の態様において、ナイロンは、ブレンドの２５重量％〜４９重量％であってよい。ブレンドの残部がＰＥＴとなろう。
【００１３】
ガスバリア材料の量は、５〜１５ｇ／ｍ２の範囲である。その量とブレンド比によって、ガスバリア性が決定される。
【００１４】
結合層１６が、ガスバリア層１４に直接適用される。結合層は、第１面と、第１面の反対側の第２面とを有する。結合層１６の第１面は、ガスバリア層１４の第２面に直接適用される。結合層１６は、適当ないかなる接着性樹脂であってよい。典型的な接着性樹脂は、無水マレイン酸修飾ポリエチレン樹脂である。Ｂｙｎｅｌ（登録商標）を結合層として使用してもよい。接着性樹脂は、修飾エチレンビニルアセテート、修飾エチレンアクリレート、修飾高密度ポリエチレン無水物、修飾線状低密度ポリエチレン無水物、修飾低密度ポリエチレン無水物、または、修飾ポリプロピレン無水物であってよい。Ｓｕｒｌｙｎ（登録商標）を結合層として使用してもよい。Ｓｕｒｌｙｎ（登録商標）は、エチレン・メタクリル酸コポリマーの部分ナトリウム塩またはマグネシウム塩である。結合性樹脂の通常の量は３〜９ｇ／ｍ２となろう。
【００１５】
内部ポリオレフィン層１８は、結合層１６に直接適用される。内部ポリオレフィン層は第１面と第２面を有する。ポリオレフィン層１８の第１面は、結合層１６の第２面に直接適用される。品物に接触する内部ポリオレフィン層１８は、低密度ポリエチレンである。ポリエチレンの量は１２〜４０ｇ／ｍ２の範囲であってよい。
【００１６】
ピンホール性は、いくつかのバリア構造物で用いられる２層とは異なり、１つの内層の低密度ポリエチレンすべてを濃縮することによって、大きく改善される。高坪量の単一層によって、加熱によるピンホールのシール性や流動性が改善される。
【００１７】
１つの態様において、ガスバリア層、結合層、およびポリエチレン層は、共押し出しされる。
【００１８】
具体的な用語を用いて本発明の好ましい態様を記載したが、かかる記載は説明の目的のためだけである。用いた語は、限定的でなく、説明用の語である。当然ながら、特許請求の範囲に記載した本発明の精神や範囲を逸脱することなく、当業者は変更や修飾を行ってもよい。添付の特許請求の範囲の精神と範囲は、本明細書に含まれる好ましい態様の記載に限定されるべきではない。
【図面の簡単な説明】
【００１９】
【図１】図１は、本発明の板紙の断面図である。
【図１】
2008296577.tif 000003